(57)【特許請求の範囲】
【請求項１】
点検対象となる受電装置内に設けられ受電装置内の電路を遮断する遮断器の開閉を、定期点検作業支援装置からの制御信号に基づいて開閉する開閉制御部と、状態センサと、監視制御装置と、定期点検作業支援装置と、監視センタと、を有する受電装置の管理システムであって、
前記状態センサは、前記定期点検作業支援装置からの制御信号に基づいて開閉する前記遮断器の開閉時間を検出し、検出結果を送信する機能を有し、
前記監視制御装置は、前記状態センサに通信ネットワークを介して接続される受信手段と、前記遮断器の開閉時間の基準値を記憶する基準値記憶手段と、前記受信手段によって受信する、前記状態センサから出力される検出結果と前記記憶手段に記憶される基準値とを比較する比較手段と、前記比較手段の比較結果に基づいて、前記検出結果が前記基準値以上である場合に、前記監視センタに故障情報を通知する通知手段と、を有し、
前記定期点検作業支援装置は、前記監視制御装置に通信回線を介して接続される通信部と、前記受電装置の定期点検を実施する点検の点検項目に基づいて点検対象の遮断器のスイッチ開閉制御の順序が予め設定された点検順序に従って前記遮断器を開閉させる制御信号を前記通信部によって前記監視制御装置を介して前記開閉制御部に出力する点検プロセス制御手段と、を有し、
前記監視制御装置は、前記遮断器の作動時または点検時における開閉時間が前記状態センサによって検出された検出結果を受信し、受信した検出結果の履歴を履歴情報として記憶する履歴情報記憶手段と、
前記履歴情報記憶手段に記憶される履歴情報と前記基準値記憶手段に記憶される基準値とに基づいて、前記遮断器の開閉時間が前記基準値に到達する期間を算出する算出手段と、前記算出手段が算出した結果を出力する出力手段と、
を有することを特徴とする受電装置の管理システム。
【請求項２】
前記状態センサは、受電装置内に設けられる変圧器の温度を検出し、
前記監視制御装置は、前記受信手段が、前記状態センサから出力される検出結果を受信し、前記記憶手段が、前記変圧器の温度と該温度において利用した場合における前記変圧器の交換が必要となる時期とに関する情報である保守情報を記憶しており、前記受信手段が受信する変圧器の温度の検出結果と、前記記憶手段に記憶される保守情報とに基づいて、前記変圧器の交換時期を算出する交換時期算出手段を有する
を有することを特徴とする請求項１記載の受電装置の管理システム。
【請求項３】
点検対象となる受電装置内に設けられ受電装置内の電路を遮断する遮断器の開閉を、定期点検作業支援装置からの制御信号に基づいて開閉する開閉制御部と、状態センサと、監視制御装置と、定期点検作業支援装置と、監視センタと、を有する受電装置の管理システムであって、
前記状態センサは、前記定期点検作業支援装置からの制御信号に基づいて開閉する前記遮断器の開閉時間を検出し、検出結果を送信する機能を有し、
前記監視制御装置は、前記状態センサに通信ネットワークを介して接続される受信手段と、前記遮断器の開閉時間の基準値を記憶する基準値記憶手段と、前記受信手段によって受信する、前記状態センサから出力される検出結果と前記記憶手段に記憶される基準値とを比較する比較手段と、前記比較手段の比較結果に基づいて、前記検出結果が前記基準値以上である場合に、前記監視センタに故障情報を通知する通知手段と、を有し、
前記定期点検作業支援装置は、前記監視制御装置に通信回線を介して接続される通信部と、前記受電装置の定期点検を実施する点検の点検項目に基づいて点検対象の遮断器のスイッチ開閉制御の順序が予め設定された点検順序に従って前記遮断器を開閉させる制御信号を前記通信部によって前記監視制御装置を介して前記開閉制御部に出力する点検プロセス制御手段と、を有し、
前記状態センサは、受電装置内に設けられる変圧器の温度を検出し、
前記監視制御装置は、前記受信手段が、前記状態センサから出力される検出結果を受信し、前記記憶手段が、前記変圧器の温度と該温度において利用した場合における前記変圧器の交換が必要となる時期とに関する情報である保守情報を記憶しており、前記受信手段が受信する変圧器の温度の検出結果と、前記記憶手段に記憶される保守情報とに基づいて、前記変圧器の交換時期を算出する交換時期算出手段を有する
ことを特徴とする受電装置の管理システム。
【請求項４】
前記点検プロセス制御手段は、前記遮断器と、電磁切替開閉器と、電磁接触器とのうち、少なくとも１つについてスイッチ開閉制御を行う
ことを特徴とする請求項１から請求項３のうちいずれかに記載の受電装置の管理システム。
【請求項５】
受電装置内に設けられる変圧器の温度を検出する状態センサから出力される検出結果を受信する受信手段と、前記変圧器の温度と該温度において利用した場合における前記変圧器の交換が必要となる時期とに関する情報である保守情報を記憶する記憶手段と、前記受信手段が受信する検出結果と、前記記憶手段に記憶される保守情報とに基づいて、前記変圧器の交換時期を算出する算出手段と、を有することを特徴とする受電装置の管理装置。
【請求項６】
受電装置に接続される受電管理装置における受電管理方法であって、
前記受電管理装置は、コンピュータであり、
受電装置内に設けられる変圧器の温度を検出する状態センサから出力される検出結果を受信するステップと、
前記変圧器の温度と該温度において利用した場合における前記変圧器の交換が必要となる時期とに関する情報である保守情報を記憶する記憶手段に記憶される保守情報と前記受信した検出結果とに基づいて、前記変圧器の交換時期を算出手段によって算出するステップと
を実行することを特徴とする受電装置の管理方法。
【発明の詳細な説明】
【０００１】
【発明の属する技術分野】
この発明は、電力会社から供給される高圧の電力を入力とし、負荷が必要とする電圧に変圧した後、負荷側に供給する受電装置に係り、特に、受電装置の監視、点検を行うことができる受電装置の管理装置、受電装置の点検方法に関するものである。
【０００２】
【従来の技術】
従来技術について図面を用いて説明する。図８は、従来における受電装置の構成を示す概略図である。受電装置は、大きく分類して商用電力を負荷に供給する商用電源供給系統と、商用電力の停電に備えた非常用発電機からの非常用電源供給系統とがある。
一部の受電装置には、移動式発電装置を搭載した移動電源車１０から出力される電力の出力端子に接続するための端子と、非常用発電機１５から出力される電力の出力端子に接続するための端子とを備えたエンジン用発電機盤２０もある。
また、商用電力の停電や復電を検出し、検出結果に応じて商用電源供給系統と非常用電源供給系統との切り替えを行う監視制御装置３０を備えている。
【０００３】
商用電力の供給ラインには、遮断器１００、電圧変換用トランスを有する高圧変圧器盤１１０、電磁切替開閉器１２０、電磁接触器１３０が設けられる。そして、電力会社からの高圧の交流電力は、引き込みケーブル１４０を経由して受電装置の遮断器１００に入り、さらに高圧変圧器盤１１０の電圧変換用トランスによって２００Ｖに電圧が変圧された後、負荷に供給されている。
【０００４】
電力は、各種負荷装置を高信頼で駆動させる観点から必須のエネルギーであり、このため受電装置による電力の供給状況は、日常、先の監視制御装置３０によって監視されている。この監視制御装置３０によって、受電装置を運転している際に行われる日常の測定項目としては、例えば、図９に示すように、高圧受電盤１４５や低圧切替盤項目１５０の各部の測定内容に従って測定される。
【０００５】
一方、このような電力の供給状況の確認のみならず、受電装置自体の正常性を確認するため、受電装置の構成部品である、引き込みケーブル１４０、遮断器１００、高圧変圧器１１１、電磁切替開閉器１２０、電磁接触器１３０等の部品も絶縁抵抗試験や接地抵抗試験、計器校正、等のため、定期的（例えば、１年間隔）に行われる点検として、例えば、法定点検作業等の定期点検が実施されている。この定期点検作業は一般に、受電装置に接続されている商用電力の供給を停止させて行うものである。
【０００６】
定期点検作業の実施要領は、例えば、図１０及び図１１に示す手順に基づいて行われ、この作業で試験される種種の項目は、例えば、図１２に示す試験項目がある。これらの試験項目のうち、電力の供給を停止させて行う試験項目については、日常の監視では把握できない設備の状況を把握することが出来、受電装置の維持の観点から重要なものである。
【０００７】
しかしながら、この定期点検は、電力が日常供給されている施設内に作業者が立ち入って行うものであり、作業中において電力供給が停止されているとはいえ、点検作業を安全に行うことが望まれている。
また、各構成部品の取り付け部の電力供給状態の確認等が、人手によって行われているため、定期点検作業に関わる作業者の人数も多数必要になっている。
【０００８】
ところで、近年、一つのビル等の建物に入居している事務所のオーナーが複数になり、電力供給を必要とする装置にも、サーバ等、常時無瞬断の電力供給を要求するものもあり、定期点検作業の実施日時の選定も年々難しくなっている。さらに、このような作業は、稼働している負荷の数が少なくなる夜間を選んで行われるが、常時電力を必要とする負荷装置の増加により作業時間も短時間であることが要求され、効率的な作業が望まれている。
【０００９】
【発明が解決しようとする課題】
しかしながら、従来における受電装置においては、定期点検作業に関して、人手によって実施されていたので、点検を安全かつ効率的に行うことが望まれている。
また、従来の受電装置では、高圧電路の絶縁状態を確認するために、電力供給を停止して絶縁抵抗試験が行われていた。このため、多くの点検項目について点検を行うために、電力供給を停止している時間が長くなってしまうという問題点があった。
【００１０】
本発明は、このような事情に鑑みてなされたもので、その目的は、受電装置の点検及び監視を安全かつ効率的に行うことができる受電装置の管理装置を提供することにある。
また、本発明は、電力供給を停止している時間を短縮して点検を行うことができる受電装置の管理装置を提供する。
【００１１】
【課題を解決するための手段】
上記目的を達成するために、本発明は、受電装置内の電路を遮断する遮断器に設けられ、該遮断器の開閉時間を検出する状態センサから出力される検出結果を受信する受信手段と、前記遮断器の開閉時間の基準値を記憶する基準値記憶手段と、前記受信手段が受信する検出結果と前記記憶手段に記憶される基準値とを比較する比較手段と、前記比較手段の比較結果に基づいて、前記検出結果が前記基準値以上である場合に、警報を行う通知手段と、を有することを特徴とする。
また、本発明は、上述の受電装置の管理装置において、前記遮断器と、電磁切替開閉器と、電磁接触器とのうち、少なくとも１つについてスイッチ開閉制御を予め決められた点検順序に基づいて行う点検プロセス制御手段を有することを特徴とする。
【００１２】
また、本発明は、上述の受電装置の管理装置において、前記遮断器の作動時または点検時における開閉時間が前記状態センサによって検出された検出結果の履歴を履歴情報として記憶する履歴情報記憶手段と、前記履歴情報記憶手段に記憶される履歴情報と前記基準値記憶手段に記憶される基準値とに基づいて、前記遮断器の開閉時間が前記基準値に到達する期間を算出する算出手段と、前記算出手段が算出した結果を出力する出力手段と、を有することを特徴とする。
【００１３】
また、本発明は、上述の受電装置の管理装置において、受電装置内に設けられる変圧器の温度を検出する状態センサから出力される検出結果を受信する受信手段と、前記変圧器の温度と該温度において利用した場合における前記変圧器の交換が必要となる時期とに関する情報である保守情報を記憶する記憶手段と、前記受信手段が受信する検出結果と、前記記憶手段に記憶される保守情報とに基づいて、前記変圧器の交換時期を算出する算出手段と、を有することを特徴とする。
【００１４】
また、本発明は、請求項２記載の受電管理装置は、点検作業支援装置であり、請求項１、請求項３、請求項４記載の受電管理装置は、監視制御装置であり、前記点検作業支援装置と前記監視制御装置とは、通信回線を介して相互に接続可能とされていることを特徴とする。
【００１５】
また、本発明は、請求項２から請求項５のうちいずれかに記載の受電装置の管理装置を用いて実施する受電装置の点検方法であって、前記点検プロセス制御手段によってスイッチ開閉制御を行い、前記状態センサによって検出される検出結果と前記基準値とを比較し、前記受電装置の点検を行うことを特徴とする。
【００１６】
【発明の実施の形態】
以下、本発明の一実施形態による受電装置の管理装置と受電装置を図面を参照して説明する。
図１は、この発明の一実施形態による受電装置の構成を示す概略ブロック図である。この図において、図８の各部に対応する部分には同一の符号を付け、その説明を省略する。
状態センサ２００は、受電装置内の各部の動作状態を検出し、検出結果を後述する管理装置５００に出力する。動作状態の検出とは、具体的には、遮断器１００の開閉時間の検出、高圧電圧器盤１１０の高圧変換器１１１（高圧を低圧に変換する電圧変換用トランス）の巻き線の温度を検出する。
また、状態センサ２００は、地絡継電器１６０および過電流継電器１７０がそれぞれ検出する電流を読み取り、監視制御装置３００に出力する。なお、地絡継電器と過電流継電器については、定期点検作業支援装置からの試験信号の入力で試験可能な機能を有する。
【００１７】
開閉制御部２１０は、監視制御装置３００から出力されるスイッチ開閉制御信号に基づいて、遮断器１８、遮断器１００、電磁切替開閉器１２０、電磁接触器１３０のスイッチを開閉させる制御を行う。また、開閉制御部２１０は、監視制御装置３００からの指示に基づいて、非常用発電機１５の起動と停止をさせる制御を行う。
【００１８】
次に、管理装置５００について図２を用いて説明する。図２は、管理装置５００の構成を示す概略ブロック図である。管理装置５００は、監視制御装置３００と、点検作業支援装置４００とから構成される。
監視制御装置３００の監視制御部３１０は、商用電力の供給状況をモニタリングし、停電検出の際には、商用電力から非常用電力に切り替えて、非常用発電機１５を起動させ、非常用発電機１５からの電力を負荷に供給するように制御を行う。また、監視制御部３１０は、受電装置内の部品に故障が発生したことを検出した場合に、故障情報を通知部３７０によって監視センタ６００に通知する。
また、監視制御部３１０は、日常は、受電装置の状態センサ２００から出力される検出結果をデータ収集部３２０によって受信し、経時的なデータとしてデータベース部３３０蓄積する。
【００１９】
データ収集部３２０は、受電装置内の状態センサ２００から出力される検出結果を受信する。このデータ収集部３２０が上述の受信手段に相当する。
【００２０】
データベース部３３０は、状態センサ２００から出力される検出結果に対する基準となる基準値を記憶する。ここでは、図３（ａ）に示すように遮断器１００の開閉時間の基準値（４０ｍｓ）と、図３（ｂ）に示す高圧変換器１１１の巻き線温度とこの巻き線温度において高圧変換器１１１を使用した場合における高圧変換器１１１の交換が必要となる時期（寿命時間）とに関する情報である保守情報を記憶する。
また、データベース部３３０は、データ収集部３２０が受信する、受電装置内の各部の作動時または点検時における検出結果の履歴を履歴情報として記憶する。この履歴情報には、遮断器１００の作動時または点検時における開閉時間が検出された検出結果の履歴が含まれる。
【００２１】
比較部３６０は、監視制御部３１０からの指示に基づいて、データ収集部３２０が受信する遮断器１００の開閉時間の検出結果とデータベース部３３０に記憶される開閉時間の基準値とを比較し、比較結果において、開閉時間の検出結果が基準値以上である場合に、通知部３７０によって警報を行う。
【００２２】
算出部３９０は、データベース部３３０に記憶される履歴情報と基準値とに基づいて、遮断器１００の開閉時間が基準値に到達する期間を算出する。
また、算出部３９０は、データ収集部３２０が受信する検出結果と、データベース部３３０に記憶される保守情報とに基づいて、高圧変換器１１１の交換時期を算出する。
【００２３】
入出力制御部３４０は、定期点検プロセス部４２０から出力される受電装置内の各部の動作を制御するための制御信号を受電装置の開閉制御部２１０に出力する。ここでは、定期点検プロセス部４２０から出力されるスイッチ開閉制御信号をＩ／Ｆ部４７０とＩ／Ｆ部３８０とを介して受信し、開閉制御部２１０に出力する。
【００２４】
データ処理部３５０は、監視制御装置３００内の各部に対するデータ転送の処理を行う。
Ｉ／Ｆ（インタフェース）部３８０は、定期点検作業を実施する際に、定期点検作業支援装置４００を接続する機能を有し、この定期点検作業支援装置４００を接続することによって、点検作業の制御機能が有効になる。また、監視制御装置３００が蓄積した受電装置各部の日常の状態センサ２００から出力される検出結果の読み出しや、データベース部３３０に記憶された受電装置内に設けられた各機器の基準値などの読み込みも可能になる。
【００２５】
次に、定期点検作業支援装置４００について説明する。この定期点検作業支援装置４００は、定期点検を行う際に、監視制御装置３００に通信回線を介してＩ／Ｆ部４２０とＩ／Ｆ部３８０とを接続して使用される。そして、この接続後に定期点検作業支援装置４００のプログラムを起動させることで監視制御装置３００が監視する日常監視モードから定期点検作業支援装置４００が点検を行う点検モードに切り替わり、定期点検プロセス部４２０によるスイッチ開閉制御機能によって各スイッチの開閉制御が開始される。
【００２６】
この点検プロセス制御部４２０は、遮断器１００、遮断器１８、電磁切替開閉器１２０、電磁接触器１３０、非常用発電機１５についてスイッチ開閉制御および起動・停止制御を予め決められた点検順序に基づいて行う。この点検順序は、実施する定期点検の点検項目に基づいて設定される。なお、各部品の特性は測定機能によって求められ、測定されたデータはデータ蓄積部４５０に蓄えられる。
【００２７】
操作・表示部４１０は、液晶表示装置やＣＲＴ（Ｃａｔｈｏｄｅ  Ｒａｙ  Ｔｕｂｅ）等の表示装置と、キーボードやマウス等の入力装置とから構成される。この操作・表示部４１０は、タッチパネルであってもよい。測定データ収集部４３０は、点検モードにおける状態センサ２００から出力された検出結果を監視制御装置３００からＩ／Ｆ部４７０を介して受信し、点検情報としてデータ蓄積部４５０に記憶するとともに、劣化判定処理部４６０に出力する。データ蓄積部４５０は、点検情報のほかに、開閉時間の基準値を記憶する。データ処理部４４０は、定期点検作業支援装置４００内の各部にデータを転送する制御を行う。劣化判定処理部４６０は、比較部３６０と算出部３９０との機能を有する。遠隔試験機能部４８０は、地絡継電器１６０と過電流継電器１７０に試験信号を送出することにより、地絡継電器１６０と過電流継電器１７０の点検試験を行う。
【００２８】
次に、上述した構成における管理装置５００の動作について説明する。この管理装置５００の機能としては、受電装置を常時監視する日常監視モードと受電装置の定期点検を行うための点検モードとがある。以下、この日常監視モードと点検モードについて説明する。
Ａ）日常監視モード
日常監視モードを実行する場合、監視制御装置３００と定期点検作業支援装置４００とを接続しない状態において利用する。
まず、データ収集部３２０は、所定の時間毎に受電装置内の状態センサ２００から出力される高圧変換器１１１の巻き線温度の検出結果を受信し、データベース部３３０に出力し、履歴情報として記憶するとともに算出部３９０に出力する。算出部３９０は、データ収集部３２０から送信される高圧変換器１１１の巻き線温度の検出結果とデータベース部３３０に記憶された保守情報（図３（ｂ））に基づいて、高圧変換器１１１の交換時期を算出し、算出結果を通知部３７０によって監視センタ６００に通知する。
【００２９】
この算出部３９０の算出としては、高圧変換器１１１に流れる電流が増加し、巻き線温度が高くなった場合おける温度の検出結果とその温度における時間を計測し、図３（ｂ）に示す保守情報に基づいて、標準温度（例えば、１２０℃）に換算した際の時間に置き換える。そして、標準温度で使用した際の暦上の寿命日数から、換算した時間における日数を差し引き、残存寿命を算出し、監視センタ６００に通知する。これにより、監視センタ６００の作業員は、高圧変換器１１１の交換時期や劣化状態を把握することができる。
【００３０】
一方、状態センサ２００は、遮断器１００が作動した場合、この遮断器１００の開閉時間を検出し、データ収集部３２０に出力する。データ収集部３２０は、この開閉時間の検出結果をデータベース部３３０に記憶するとともに、比較部３６０に出力する。比較部３６０は、開閉時間の検出結果とデータベース部３３０に記憶された基準値とを比較し、開閉時間の検出結果が基準値以上である場合に、通知部３７０によって監視センタ６００に警報を通知する。これにより、次回の定期点検を行う前に遮断器１００の保守が必要であることを予め把握することができる。
【００３１】
Ｂ）点検モード
次に、定期点検を行う場合、定期点検作業支援装置４００を監視制御装置３００に接続し、点検作業支援装置４００の電源を投入することにより、予め記憶されているプログラムが起動し、点検モードに切り替わる。そして、点検モードに切り替わると、定期点検プロセス部４２０は、予め決められた予定の順序に基づいて、受電装置内の遮断器１００、遮断器１８、電磁切替開閉器１２０、電磁接触器１３０、のスイッチを開閉させるための制御信号と、非常用発電機１５を起動および停止させるための制御信号とを監視制御装置３００を介して受電装置内の開閉制御部２１０に出力する。
【００３２】
測定データ収集部４３０は、定期点検プロセス部４２０の開閉制御によって遮断器１００、遮断器１８、電磁切替開閉器１２０、電磁接触器１３０のスイッチが動作した開閉時間の検出結果を取得し、データ蓄積部４５０に記憶するとともに、劣化判定処理部４６０に出力する。劣化判定処理部４６０は、データ蓄積部４５０に記憶された遮断器１００、遮断器１８、電磁切替開閉器１２０、電磁接触器１３０の開閉時間の基準値と、測定データ収集部４３０から出力された検出結果とを順次比較し、比較結果が基準値以上である場合に、基準値以上であった機器を操作・表示部４１０の画面上に表示するとともに警報音を放音する。また、劣化判定処理部４６０は、非常用発電機１５の起動時における発電量や起動と停止動作が正常に行われているか否かについて、測定データ収集部４３０を介して状態センサ２００から出力される検出結果と基準値との比較を行い、以上がある場合に、警報を行う。このように、定期点検プロセス部４２０に予め点検項目に応じた点検順序で受電装置内の各部の動作状況を点検するようにしたので、作業員が受電装置の各部を操作することなく、また、作業員がマニュアルなどを参照して各部の点検順序を確認することなく定期点検を実施することができ、安全にかつ効率的に点検を実施することができる。
【００３３】
次に、定期点検プロセス部４２０が行う点検順序の他の実施形態について図４と図５のフローチャートを用いて説明する。まず、定期点検プロセス部４２０は、商用電源からエンジン用発電器盤２０側からの電源供給へ切り替える点検を開始する。ここでは、高圧受電盤の「遠方／手許」切替器を「遠方」から「手許」に切り替える指示を操作・表示部４１０に表示する。この表示に基づいて、点検作業員によって「遠方／手許」切替器が「手許」側に切り替えが行われると（図４ステップＳ１０１）、受電装置において、高圧受電盤から切り替え信号を定期点検作業支援装置４００に出力する（図４ステップＳ２０１）。定期点検作業支援装置４００は、切り替え信号を確認すると、低圧切替盤の切り替え器を「手許」側に切り替える指示を操作・表示部４１０に表示する。そして、作業員により、この指示内容に基づいて切り替えが行われた後、受電装置から低圧切替盤から送信される（図４ステップＳ２０２）切り替え信号を受信する。そして、非常用発電機１５のエンジンの運転を開始させる制御信号を送信し（図４ステップＳ３０３）、非常用発電機１５が起動すると（図４ステップＳ２０３）、エンジン用発電器盤の遮断器を投入させる制御信号を送信し（図４ステップＳ３０４）、エンジン用発電器盤の遮断器が投入された後（図４ステップＳ２０４）、低圧切替盤の切替開閉器をエンジン側に切り替える指示の制御信号を送出する（図４ステップＳ３０５）。そして、切替開閉器がエンジン側に切り替わると（図４ステップＳ２０５）、低圧切替盤の電磁接触器の投入指示を送信する（図４ステップＳ３０６）。そして、低圧切替盤の電磁接触器が投入されると、高圧受電盤遮断器を開放させる制御信号を送出する（図４ステップＳ３０７）。これにより、高圧受電盤の遮断器が開放される（図４ステップＳ２０７）。
【００３４】
次に、定期点検作業支援装置４００は、高圧受電盤地絡方向継電器の「試験ボタン」を押下させる指示を操作・表示部４１０に表示する。この指示に基づき、点検作業員が高圧受電盤地絡方向継電器の「試験ボタン」を押下することにより、柱上用負荷開閉器が開放される（図４ステップＳ２０８）。そして、柱上用負荷開閉器が開放されたことが点検作業員によって確認され、操作・表示部４１０の「ＯＫ」ボタンが押下されると、保安用具を着用し、検電器で第１次ＤＳ（断路器）１次側の無線圧を確認させるための指示を操作・表示部４１０に表示する（図４ステップＳ１０４）。そして、第１ＤＳ一次側に設置器具を取り付ける指示、高圧受電盤の遮断器の操作により残留電荷を放電させる指示、高圧受電盤第１ＤＳを開放する指示を順次操作・表示部４１０に表示する（図４ステップＳ１０５、Ｓ１０６、Ｓ１０７）。この操作・表示部４１０における指示内容の切り替わりは、作業員が指示内容に応じて作業を行った後、「ＯＫ」ボタンを押下することにより切り替わる。
【００３５】
そして、高圧受電盤の第１ＤＳが開放されたことを検出すると（図４ステップＳ２０９）、定期点検作業支援装置４００は、過電流継電器試験を開始させる制御信号を送出する（図４ステップＳ３０８）。そして、過電流継電器試験が受電装置において開始された後、終了すると、地絡方向継電器試験を開始させる制御信号を送出する（図４ステップＳ３０９）。そして、受電装置において、地絡方向継電器試験を開始された後（図４ステップＳ２１１）、終了すると、コンデンサ容量試験を実施させる指示、接地金具の取り外し指示、絶縁抵抗試験（高圧回路）を実施させる指示、高圧受電盤の点検・清掃を実施させる指示を、作業員によって「ＯＫ」ボタンがクリックされる毎に順次操作・表示部４１０に表示する（図４ステップＳ１０８、Ｓ１０９、Ｓ１１０、図５Ｓ１１１）。
【００３６】
次に、高圧受電盤の点検・清掃が終了すると（図５ステップＳ３１０）、低圧切替盤の電磁接触器を開放させる指示の制御信号を送出し（図５ステップＳ３１１）、電磁接触器が開放されると（図５ステップＳ２１２）エンジン用発電器盤の遮断器を開放させる制御信号を送出する（図５ステップＳ３１２）。そして、エンジン用発電器盤の遮断器が開放された後（図５ステップＳ２１３）、非常用発電機１５を停止させる制御信号を送出する（図５ステップＳ３１３）。これにより、非常用発電機１５の運転が停止する（図５ステップＳ２１４）。
【００３７】
そして、接地抵抗試験の実施、低圧回路の絶縁抵抗試験の実施、低圧回路の点検・清掃を実施させる指示を、点検作業員が「ＯＫ」ボタンを押下する毎に順次操作・表示部４１０に表示する（図５ステップＳ１１２、Ｓ１１３、Ｓ１１４）。低圧回路の点検・清掃が完了し、「ＯＫ」ボタンが押下されると（図５ステップＳ３１４）、状態センサ２００からの出力に基づき、低圧切替盤の電磁接触器の開放確認がなされると（図５ステップＳ３１５）、低圧切替盤の電磁切替開閉器を「商用電源」側に切り替える制御信号を送出する（図５ステップＳ３１６）。そして、低圧切替盤の電磁切替開閉器が「商用電源側」に切り替わると（図５ステップＳ２１５）、状態センサ２００からの出力に基づき、高圧受電盤の遮断器の開放確認を行い（図５ステップＳ３１７）、遮断器が開放されている場合、接地金具の取り外しの実施、柱上負荷開閉器の投入操作を実施させる指示を、点検作業員が「ＯＫ」ボタンを押下する毎に順次操作・表示部４１０に表示する（図５ステップＳ１１５、Ｓ１１６）。
【００３８】
次に、柱上負荷開閉器の投入された後に「ＯＫ」ボタンが押下されると、高圧受電盤遮断器を投入させる制御信号を送出する（図５ステップＳ３１８）。そして、状態センサ２００からの出力に基づき、高圧受電盤の遮断器が投入が検出されると、低圧切替盤の電磁接触器を投入させる制御信号を送出し（図５ステップＳ３１９）、低圧切替盤の電磁接触器が投入される（図５ステップＳ２１７）。この低圧切替盤の電磁接触器が投入されたことを状態センサ２００からの出力に基づいて確認すると、点検を終了する。
【００３９】
このようにして、点検順序に従って受電装置内の点検を定期点検作業支援装置４００が行うとともに、点検作業員が行う作業内容を点検作業員に指示する。これにより、点検作業員に対し、所定の点検手順に従って点検させることができ、点検順序を間違えてしまうことを低減させ、安全に点検作業を実施することが可能である。また、点検手順を点検作業員に順次指示することにより、点検作業者は、マニュアルなどを参照することなく、点検作業の効率よく実施することができる。
【００４０】
なお、点検作業支援装置４００が行う点検作業と点検作業員が行う作業内容を分類した場合における一例を図６、図７に示す。この図に示すように、点検作業支援装置４００が行う点検作業内容は、「○」の記号によって示されている。スイッチの切替制御や、非常用発電機１５の起動と停止等については、点検作業支援装置４００によって実施される。
【００４１】
以上説明した実施形態においては、受電装置の多くのスイッチの開閉動作が自動化されているが、一部の構成部品については手動により切替を行い、点検を実施している。この手動によってスイッチの切替を行う点検項目については、図４、図５に示すフローチャートに示すように、手動による回路の切り替え状況の点検結果を管理装置５００に出力し、この出力信号を管理装置５００において、操作・表示部４１０に表示させ、表示された測定結果を確認しつつ、順次点検項目を表示し、試験手順を進行させる様にプログラムを組み立てることも可能である。これにより、点検作業員は、管理装置５００から指示される点検順序に従って点検を行うことにより、予め決められた点検項目について効率よく点検することができる。継電器については、自動試験機能が設けられ、この点検プロセスの進行の中で自動的に試験が行われ、測定データの収集が行なわれる。
【００４２】
なお、以上説明した実施形態において、状態センサ２００は、遮断器１００と高圧変換器１１１に設けた場合について説明したが、この状態センサ２００は、受電装置の電力供給状態を把握することができるものであれば、遮断器１００以外の機器に設けるようにしてもよく、例えば、遮断器１００のコイルの断線の有無の検出、進相コンデンサの表面温度、電磁切替開閉器１２０の切替動作時間の検出、非常用発電機１５の発電量の検出を行うようにしてもよく、図９に示す高圧受電盤１４０内の計器用変圧器の受電電圧、変流器の負荷電流、複合継電器の電力や負荷力率、低圧切替盤の電圧、変流器の負荷電流、低圧配線の漏れ電流などの検出を行うようにしてもよい。また、巻き線温度を検出する対象となる変圧器は、高圧変換器１１１以外の機器に設けるようにしてもよい。この場合、各部の検出結果と比較する基準となる基準値を予めデータベース部３３０に記憶しておき、この基準値と比較し、異常の有無を検出する。
【００４３】
また、監視制御装置３００と受電装置との間における検出結果やスイッチ開閉制御信号等の送受信については、公衆回線や専用線、インターネットなどのネットワークを利用することにより、受電装置から離れた遠隔地において受電装置を関しおよび点検を行うことが可能である。
【００４４】
また、以上説明した実施形態においては、受電装置及び管理装置５００を定期点検を行う場合に適用する場合について説明したが、例えば、図４、図５に示す点検手順及び図６、図７に示す点検作業内容を、法的点検の点検項目に基づいて決定し、点検作業を行うようにしてもよい。
また、上述した実施形態においては、監視制御装置３００と定期点検作業支援装置４００とを接続可能に構成したので、定期点検を実施する際に試験を行う監視制御装置３００が設置されている場所に持ち込んで接続することにより、点検対象の受電装置の点検を行うことができ、これにより、受電装置毎に定期点検作業支援装置４００を設ける必要がない。従って、受電装置または監視制御装置３００のコストが増大してしまうことを防ぐことが可能となる。
【００４５】
また、上述した実施形態において、監視制御装置３００と定期点検作業支援装置４００とが異なる筐体内に設けられている場合について説明したが、監視制御装置３００と定期点検作業支援装置４００とを同一筐体内に設けるようにしてもよい。また、定期点検作業支援装置４００を監視制御装置３００を介さずに、直接受電装置に接続するようにしてもよい。
【００４６】
また、図２における監視制御装置３００の監視制御装置３１０、比較部３６０、通知部３７０、算出部３９０の機能を実現するプログラムと図２における定期点検作業支援装置４００の定期点検プロセス部４２０、劣化判定処理部４６０、操作・表示部４１０の機能を実現するためのプログラムとのうち、少なくとも一方をコンピュータ読み取り可能な記録媒体に記録して、この記録媒体に記録されたプログラムをコンピュータシステムに読み込ませ、実行することにより受電装置の管理を行ってもよい。なお、ここでいう「コンピュータシステム」とは、ＯＳや周辺機器等のハードウェアを含むものとする。
【００４７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４８】
以上、この発明の実施形態を図面を参照して詳述してきたが、具体的な構成はこの実施形態に限られるものではなく、この発明の要旨を逸脱しない範囲の設計等も含まれる。
【００４９】
【発明の効果】
以上説明したように、この発明によれば、受電装置内の遮断器に設けられ、遮断器の開閉時間を検出する状態センサから出力される検出結果を受信し、検出結果と遮断器の開閉時間の基準値とを比較し、比較結果に基づいて、検出結果が基準値以上である場合に、警報を行うようにしたので、受電装置の点検及び監視を安全かつ効率的に行うことができる効果が得られる。また、受電装置の点検を効率的に行うことができるので、点検を行う作業員の人数を削減することができる。
また、本発明によれば、スイッチ開閉制御を予め決められた点検順序に基づいて行うようにしたので、受電装置の点検を効率よく行うことができ、また、受電装置の点検作業順序に関して高い知識を有しなくとも点検作業を実行することが可能となる。
【００５０】
また、本発明によれば、遮断器の作動時または点検時における開閉時間が状態センサによって検出された検出結果の履歴を履歴情報として記憶しておき、この履歴情報と基準値とに基づいて、遮断器の開閉時間が基準値に到達する期間を算出するようにしたので、遮断器の劣化状態を検出し、保守を行う時期を予め把握することができ、これにより、遮断器の不具合が発生してしまう前に事前に交換することが可能となり、受電装置の安全性を維持することができる効果が得られる。
【００５１】
また、本発明は、受電装置内に設けられる変圧器の温度を検出する状態センサから出力される検出結果を受信し、受信した検出結果と、変圧器の温度とこの温度において利用した場合における変圧器の交換が必要となる時期とに関する情報である保守情報とに基づいて、変圧器の交換時期を算出するようにしたので、受電装置の変圧器の劣化状態を検出し、交換時期を予め把握することができ、これにより、変圧器の不具合が発生してしまう前に交換することが可能となり、変圧器の故障による電力の供給停止という事態を未然に防止することが出来る効果が得られる。
【図面の簡単な説明】
【図１】  この発明の一実施形態による受電装置の構成を示す概略ブロック図である。
【図２】  管理装置５００の構成を示す概略ブロック図である。
【図３】  データベース部３３０に記憶される情報について説明するための図面である。
【図４】  定期点検プロセス部４２０が行う点検順序について説明するためのフローチャートである。
【図５】  定期点検プロセス部４２０が行う点検順序について説明するためのフローチャートである。
【図６】  点検作業支援装置４００が行う点検作業と点検作業員が行う作業内容を分類した場合における一例を示す図面である。
【図７】  点検作業支援装置４００が行う点検作業と点検作業員が行う作業内容を分類した場合における一例を示す図面である。
【図８】  従来技術における受電装置の構成を示す概略図である。
【図９】  受電装置の日常の測定項目の一例を示す図面である。
【図１０】  定期点検作業の実施要領を示す図面である。
【図１１】  定期点検作業の実施要領を示す図面である。
【図１２】  定期点検作業の実施要領における試験項目を示す図面である。
【符号の説明】
２００  状態センサ                  ２１０  開閉制御部
３００  監視制御装置                ３１０  監視制御部
３２０  データ収集部                ３３０  データベース部
３４０  入出力制御部                ３６０  比較部
３７０  通知部                      ４００  点検作業支援装置
４１０  操作・表示部                ４２０  定期点検プロセス部
４３０  測定データ収集部            ４５０  データ蓄積部
４６０  劣化判定処理部              ５００  管理装置
【図１】
0003953823.tif 000002
【図２】
0003953823.tif 000003
【図３】
0003953823.tif 000004
【図４】
0003953823.tif 000005
【図５】
0003953823.tif 000006
【図６】
0003953823.tif 000007
【図７】
0003953823.tif 000008
【図８】
0003953823.tif 000009
【図９】
0003953823.tif 000010
【図１０】
0003953823.tif 000011
【図１１】
0003953823.tif 000012
【図１２】
0003953823.tif 000013